(57)【要約】      （修正有）【課題】従来は燃料エンジン使用発電の為炭酸（二酸化炭素）ガスが発生していた。換気を怠ると事故を起こし新聞に載る事が有った。【解決手段】燃料エンジンを電気（モーター）動力に換える事で発電による炭酸（二酸化炭素）ガス事故を防ぐことができる。バッテリと変圧回路を組み込む事で、スイッチを切らないと半永久に動く。この二点が特徴です。【選択図】図１
2017028975.tif 000002
【特許請求の範囲】
【請求項１】
燃料エンジン部分と発電機部分の一部燃料エンジン部分を電気（モーター）動力に交換して炭酸（二酸化炭素）ガスを発生させずに発電を行う。
この発明は電気（モーター）動力を使用することで炭酸（二酸化炭素）ガスを発生させず又バッテリー（１２Ｖ）と変圧回路を組み込む事で一発始動と半永久動力を実現可能にしました。又使用者の安全確保と地球環境に良い発明です
図１  ▲１▼スイッチＯＮにする。▲２▼バッテリー（１２Ｖ）と▲３▼変圧回路（１２Ｖを１００Ｖに変換）と▲１▼スイッチを電気が通り▲４▼電気（モーター）動力が回転します。▲４▼電気（モーター）動力の回転を▲５▼主軸にて▲６▼発電機に伝えます。▲６▼発電機から電気発生し▲７▼変圧回路（ゼロから１００Ｖに変換）にて二方向に行きます。一つはコンセント側もう一方は▲２▼バッテリー側となる。バッテリー（１２Ｖ）側は▲８▼変圧回路（１００Ｖを１２Ｖに変換）を通して▲２▼バッテリー（１２Ｖ）に繋ぎます。▲１▼→▲２▼→▲３▼→▲１▼→▲４▼→▲５▼→▲６▼→▲７▼→▲８▼→▲２▼→▲３▼→▲１▼→▲４▼→▲５▼→▲６▼→▲７▼→▲８▼→▲２▼と半永久に続きます。▲１▼スイッチで停止（切断）できます。
図２  バッテリー無し  発電機と変圧回路と電気（モーター）動力▲１▼スイッチＯＮにします。▲２▼クランクシャフトを取り付け右（時計回り）回転を３〜４回転すると▲３▼発電機から電気発生▲４▼変圧回路（ゼロから１００Ｖに変換）から二方向へ送ります。一つはコンセント側でもう一つは▲５▼電気（モーター）動力へ電気を送り回転させます。▲６▼主軸にて▲５▼電気（モーター）動力の回転を▲３▼発電機に伝え回転させます。電気発生が続きます。▲１▼→▲２▼→▲３▼→▲４▼→▲５▼→▲６▼▲３▼→▲４▼→▲５▼→▲６▼→▲３▼と半永久に続きます。▲１▼スイッチで停止（切断）できます。
図３  バッテリー（１００Ｖ）使用例
▲１▼スイッチＯＮにします。▲２▼バッテリー（１００Ｖ）から▲１▼スイッチを通り▲３▼電気（モーター）動力で回転します。▲４▼Ｖベルトにて▲５▼発電機が回転します。▲６▼変圧回路（ゼロから１００Ｖに変換）二方向に配線一つはコンセントも一つは▲２▼バッテリー（１００Ｖ）に繋ぎます。▲１▼→▲２▼→▲３▼→▲４▼→▲５▼→▲６▼→▲２▼→▲１▼→▲３▼→▲４▼→▲５▼→▲６▼→▲２▼と半永久に続きます。▲１▼スイッチで停止（切断）できます
【発明の詳細な説明】
【図１】
2017028975.tif 000003
【図２】
2017028975.tif 000004
【図３】
2017028975.tif 000005
【手続補正書】
【提出日】平成27年12月15日(2015.12.15)
【手続補正１】
【補正対象書類名】明細書
【補正対象項目名】全文
【補正方法】変更
【補正の内容】
【発明の詳細な説明】
【技術分野】
【０００１】▲：▼１従来の技術  燃料エンジンによる炭酸（二酸化炭素）ガス発生を数十年放置し使用していた。
▲：▼２新技術  電気（モーター）動力使用で炭酸（二酸化炭素）ガス発生を無くした。
【背景技術】
【０００２】換気ミスの事故として処置  炭酸（二酸化炭素）を発生させない事を考えなかった。
【先行技術文献】
【特許文献】
【０００３】半永久動力になった発電機  該当無し（電源）
【非特許文献】
【０００４】      同  上              該当無し
【発明の概要】
【発明が解決しようとする課題】
【０００５】▲：▼１燃料エンジンによる炭酸（二酸化炭素）ガス発生を無くす。
▲：▼２バッテリー使用の電気残（電気補充）長時間使用対策
【課題を解決する為の手段】
【０００６】▲：▼１燃料エンジンを電気（モーター）動力に交換
▲：▼２発電している電気をバッテリーに結線
【発明の効果】
▲：▼現在の火力発電と原子力発電  有害の為閉鎖になるかも
▲：▼送電線の撤去（信号機や工場又は街灯等）
▲：▼家庭・ビル・工場に１個又は複数設置
▲：▼電車・自動車等に装備される。
▲：▼船やプロペラ飛行機等電気化される。
▲：▼小型化されると家電に組み込まれる。（今の所むりと思う）
【図面の簡単な説明】
【図１】  ▲１▼スイッチＯＮにすると▲２▼バッテリー（１２Ｖ）から電流が▲１▼スイッチと▲３▼変圧回路（１２Ｖを１００Ｖ）を通って▲４▼電気（モーター）動力を廻します。▲５▼主軸を伝達して▲６▼発電機を回転させ発電します。発生した電気は▲７▼変圧回路（ゼロを１００Ｖ）を通りコンセントと▲８▼変圧回路（１００Ｖを１２Ｖ）を通じて▲２▼バッテリー（１２Ｖ）に電気が流れます。これで▲１▼→▲２▼→▲１▼→▲３▼→▲４▼→▲５▼→▲６▼→▲７▼→▲８▼→▲２▼→▲１▼→▲３▼→▲４▼半永久動力システムとなりました。
【図２】  図１で半永久動力システムのスイッチとバッテリー（１２Ｖ）を除去の状態で外部より電気（１００Ｖ）を電気（モーター）動力に流して半永久動力を創ります。▲４▼電気（モーター）動力に外部から１００Ｖの電気を通電して▲５▼主軸を伝達して▲６▼発電機を回転させ発電させます。▲７▼変圧回路（ゼロから１００Ｖ）を通り▲４▼電気（モーター）動力に電気を流し回転します。このとき外部１００Ｖと発電の１００Ｖが接触します。＋極と−極を間違えずに通電すれば半永久動力が創られます。▲４▼→▲５▼→▲６▼→▲７▼→▲４▼→▲５▼→▲６▼→▲７▼→▲４▼
【図３】  ▲１▼スイッチをＯＮにすると▲２▼バッテリー（１２Ｖ）から電流が▲１▼スイッチと▲３▼変圧回路（１２Ｖを１００Ｖ）を通って▲４▼電気（モーター）動力を廻します。▲５▼主軸を伝達して▲９▼ダイナモ（自動車発電機１２Ｖ）に電気を発生させ▲１０▼変圧回路（ゼロから１２Ｖ）を通し▲２▼バッテリー（１２Ｖ）に流れます。もう一方はコンセントに▲３▼変圧回路（１２Ｖを１００Ｖ）を通し流れます。▲１０▼変圧回路（ゼロから１２Ｖ）は▲２▼バッテリー（１２Ｖ）の電気が逆流しないように設置  ▲１▼→▲２▼→▲１▼→▲３▼→▲４▼→▲５▼→▲９▼→▲１０▼→▲２▼→▲１▼→▲３▼→▲４▼→▲５▼→▲９▼
【発明を実施する為の形態】
電気自動車▲：▼電気（モーター）動力で走行する自動車
電  車    ▲：▼電気（モーター）動力で走行（レールの上）する電気機関車
家庭・ビル▲：▼電気送電された電気を使用する。
工  場    ▲：▼電気送電された電気を変電所で電圧を変えて使用
【実施例】電源図１のコンセントに電気（モーター）動力の配線を差し込む
電源図１のコンセントに変圧回路の配線を差し込む
電源図２のコンセントにブレーカーの配線を差し込む
電源図２のコンセントに変電所の配線を差し込み電圧を変える
【産業上の利用可能性】電気化する。▲：▼電気エネルギー無限大使用
小型化する  ▲：▼パソコン等の家電製品や医療製品・ロボット等に組み込まれる。
【符号の説明】▲１▼スイッチ（ＯＮ  ＯＦＦ）          ▲６▼発電機（１００Ｖ発生）
▲２▼バッテリー（１２Ｖ）              ▲７▼変圧回路（ゼロを１００Ｖ）
▲３▼変圧回路（１２Ｖを１００Ｖ）      ▲８▼変圧回路（１００Ｖを１２Ｖ）
▲４▼電気（モーター）動力              ▲９▼ダイナモ（自動車の発電機１２Ｖ）
▲５▼主軸（回転を伝える）              ▲１０▼変圧回路（ゼロから１２Ｖ）
【手続補正２】
【補正対象書類名】図面
【補正対象項目名】全図
【補正方法】変更
【補正の内容】
【図１】
2017028975.tif 000006
【図２】
2017028975.tif 000007
【図３】
2017028975.tif 000008